(57)【要約】【課題】  連結性、分離性、連結品質が良好で、用途の拡大化を図ることができる敷設用ボードの連結構造を提供する点にある。【解決手段】  敷設用ボードＡの側縁に係止孔３Ｃを備えた係止受け部３と、他の敷設用ボードＡの側縁に設けられた係止受け部３の係止孔３Ｃに対する係止体４とが形成され、係止体４が、係止受け部３に係合可能な係止爪４Ａと、係止受け部３に対する係止爪４Ａの係入に連れて係止爪４Ａを係合側に横方向に押込み移動させる係合ガイド部５とから構成され，係止体４には、係止受け部３と係止爪４Ａとの係合によって連結されている両敷設用ボードＡをそれらの係合連結側を中心として相対的に持ち上げ回動させたとき、係止受け部３の係止下縁に対する係止爪４Ａの離脱移動を許容する係合解除手段６が設けられている．【選択図】        図１
2005139850.tif 000002
【特許請求の範囲】
【請求項１】
敷設用ボードの側縁に、他の敷設用ボードの側縁に設けられた係止体が上方から係合する係止孔を備えた係止受け部と、他の敷設用ボードの側縁に設けられた係止受け部の係止孔に対する係止体とが形成されているとともに、前記係止体が、係止受け部の係止下縁に係合可能な係止爪と、係止受け部の係止孔に対する係止爪の係入に連れて、係止受け部の係止下縁に対して係止爪を係合側に横方向に押込み移動させる係合ガイド部とから構成されている敷設用ボードの連結構造であって、
前記係止体には、係止受け部の係止下縁と係止爪との係合によって連結されている両敷設用ボードをそれらの係合連結側を中心として相対的に持ち上げ回動させたとき、係止受け部の係止下縁に対する係止爪の離脱移動を許容する係合解除手段が設けられている敷設用ボードの連結構造。
【請求項２】
前記係止受け部が、敷設用ボードの４辺の側壁部のうち、２辺の側壁部の下端面に外方に張り出す状態で一体形成されているとともに、他の２辺の側壁部の下端面には係止体が一体形成されている請求項１記載の敷設用ボードの連結構造。
【請求項３】
前記係合解除手段が、係止爪の先端から係合ガイド部にかけて形成され内方上がりの傾斜面又は弧状面から構成されている請求項１又は請求項２記載の敷設用ボードの連結構造。
【請求項４】
前記係止受け部の係止下縁が、敷設用ボードの側壁部の下端面から延設された板厚方向に弾圧変形可能な係止片から構成されている請求項１、２又は３記載の敷設用ボードの連結構造。
【発明の詳細な説明】
【技術分野】
【０００１】
本発明は、床面や地面に敷設する敷設用ボードの連結構造に関する。
【背景技術】
【０００２】
近年、連結することによって敷設面積の増減が可能になった正方形状の人口芝ボードが普及して、庭やビルの屋上等に多様な目的や用途に用いられるようになっている。
また、このような背景を受けて、このような人口芝ボードと互換性をもって連結することができる敷設用ボードも存在して、敷設された人口芝ボードの周囲に敷設用ボードを連結して体裁や美観の向上化が図られている。
さらには、敷設用ボードを単独にバルコニーやプールサイドでの敷設を想定するものや、ボード上面部にタイル板や木板を張り合わせて化粧性を高めた商品も考えられている。
このような人口芝ボードや敷設用ボード等の樹脂ボードは、多くは軟質で保型性のある合成樹脂材から形成されているとともに、人口芝ボード同士、人口芝ボードと敷設用ボード、敷設用ボード同士の連結構造は、連結する一方のボードの連結受け側にリング状の係止受け部が形成され、連結する他方のボードの連結側に、係止受け部に対応する係止爪が形成された係止体が形成されて、係止受け部及び係止体の素材自体の弾性変形を利用して、係止受け部に係止体を強引に係合状態に移行する、所謂、無理嵌めすることによって、ボード同士の連結が可能になっている（例えば、特許文献１参照）。
【０００３】
【特許文献１】特開平９−８８３０５号公報（第２−３頁、図２〜図７）
【発明の開示】
【発明が解決しようとする課題】
【０００４】
ところが、このようなボードの連結構造は、一度ボード同士を連結してしまえば、弾性変形と係止構造を利用した無理嵌め状態に連結されているので、連結状態を解く場合、この種のボード自体が軟質樹脂の粘りのある弾性変形を利用して、係止受け部と係止体の係合状態を力任せで無理矢理に解くことが行なわれている。
そのため、この種のボードの連結構造においては、連結の際においても連結し難く、連結状態の解除もし難い商品傾向を有し、しかも、無理嵌めによる外観変形などを生じやすいので、全体として組立性、分離性、連結品質が悪い問題がある。
また、素材に硬質の合成樹脂素材を用いることも考えられるが、この場合、素材の特性上、素材自体の弾性変形が小さく、無理嵌めや力任せの連結解除では、係止受け部や係止体と言った局所的な部分に大きな力が集中するため、このような部分にヒビや割れが生じる問題があり、これを解決するために、係合する上での遊びを多くして係止受け部と係止体の係合部の連結しやすく分離しやすくすることもが考えられるが、このようにした場合、連結状態においてボード同士に隙間が形成され、ガタツキのある不安定な連結状態となる問題がある。
そのため、この種のボード同士の連結構造においては、軟質な合成樹脂素材によって形成されており、用途面においても人口芝ボードと連結可能である付属ボードと言った限られた用途の商品になっている問題がある。
本発明は上記の事情に鑑みてなされたものであり、その目的とするところは、連結性、分離性、連結品質が良好で、用途の拡大化を図ることができる敷設用ボードの連結構造を提供する点にある。
【課題を解決するための手段】
【０００５】
本発明の第１番目の敷設用ボードの連結構造の特徴構成は、敷設用ボードの側縁に、他の敷設用ボードの側縁に設けられた係止体が上方から係合する係止孔を備えた係止受け部と、他の敷設用ボードの側縁に設けられた係止受け部の係止孔に対する係止体とが形成されているとともに、前記係止体が、係止受け部の係止下縁に係合可能な係止爪と、係止受け部の係止孔に対する係止爪の係入に連れて、係止受け部の係止下縁に対して係止爪を係合側に横方向に押込み移動させる係合ガイド部とから構成され、前記係止体には、係止受け部の係止下縁と係止爪との係合によって連結されている両敷設用ボードをそれらの係合連結側を中心として相対的に持ち上げ回動させたとき、係止受け部の係止下縁に対する係止爪の離脱移動を許容する係合解除手段が設けられている点にある。
【０００６】
上記特徴構成によれば、連結する一方の敷設用ボードの係止受け部の係止孔に対して、連結する他方の敷設用ボードの係止体を上方から挿入して、係止体の係止爪が係止受け部の係止受け部に係合し、これに連動して係止受け部の係止孔内に係止体の係合ガイド部が収容されることによって、係止受け部内に係止体が密着する状態に収容され、敷設用ボード同士が固定された連結状態にすることができる。
また、係止受け部側の敷設用ボードの係合受け部に係合する係止爪を中心として、係止体側の敷設用ボードを持ち上げ回動することによって、係止爪と係止受け部との係合を解きながら、係合解除手段によって係止受け部の係止下縁に対する係止爪の離脱移動が許容され、干渉少なく係止受け部の係止孔から係止体の離脱を行なうことができるので、敷設用ボード同士の連結を容易に解除することができる。
これとは別に、連結された一方の敷設用ボードの係止受け部の係止孔内で係止体が、係合解除手段によって係止受け部の係止下縁に対する係止爪の離脱移動が許容される状態に収容されているので、連結された一方の敷設用ボードに対して他方の敷設用ボードの係止体を直上に持上げて、係止受け部から係止体の離脱を行なうこともできる。
【０００７】
従って、連結や分離に手間がかかり連結品質が悪い従来のボード同士の連結構造に比べて、敷設用ボード同士の連結性、分離性、連結品質の向上を図ることができる。
また、このような連結構造であれば、素材が軟質の合成樹脂材から形成された敷設用ボードの場合はもとより、素材が硬質の合成樹脂材から形成された敷設用ボードにおいても、連結性、分離性、連結品質の良好な連結構造を構築することができ、その結果、用途の拡大化を図ることができる。
【０００８】
本発明の第２番目の敷設用ボードの連結構造の特徴構成は、前記係止受け部が、敷設用ボードの４辺の側壁部のうち、２辺の側壁部の下端面に外方に張り出す状態で一体形成されているとともに、他の２辺の側壁部の下端面には係止体が一体形成されている点にある。
【０００９】
上記特徴構成によれば、ガタツキのない敷設用ボード同士の連結が敷設用ボードの各辺で実施することができる。
【００１０】
従って、敷設用ボード同士の連結性がよく、設定された面積の敷設用ボードを完成度の高い敷設を実施することができると言うように、施工性の向上を図ることができる。
【００１１】
本発明の第３番目の敷設用ボードの連結構造の特徴構成として、前記係合解除手段が、係止爪の先端から係合ガイド部にかけて形成され内方上がりの傾斜面又は弧状面から構成されている点にある。
【００１２】
上記特徴構成によれば、係止受け部の係止孔に対して係止体を挿入する過程において、両者に多少の位置ずれがあったとしても、係止受け部に係止孔内に係合ガイドが係止受け部に当接しながら、係止孔内に係止体が収納されて行くので、操作性よく敷設用ボード同士を連結状態にすることができる。
しかも、連結する一方の敷設用ボードの係止受け部の係止受け部に係合する、他方の敷設用ボードの係止体の係止爪を中心として、係止体側の敷設用ボードを持ち上げ回動することによって、係止爪と係止受け部との係合を解きながら、係止受け部の係止孔から係止体の離脱を係合ガイドに案内されながら円滑に分離操作を実施することができる。
【００１３】
従って、操作性や作業性よく、敷設用ボード同士を連結、分離することができ、施工性の向上を図ることができる。
【００１４】
本発明の第４番目の敷設用ボードの連結構造の特徴構成は、前記係止受け部の係止下縁が、敷設用ボードの側壁部の下端面から延設された板厚方向に弾圧変形可能な係止片から構成されている点にある。
【００１５】
上記特徴構成によれば、係止受け部に対して係止体の係止爪が係合する際において、係止孔内に係止爪が収まり難い状態にあったとしても、係止爪の押し圧力によって係止片が弾性変形して係止爪が係止受け部に係合しやすい状態を形成することができる。
【００１６】
従って、敷設用ボード同士の連結をより円滑に実施することができ、組立て作業性の向上を図ることができる。
【発明を実施するための最良の形態】
【００１７】
以下、本発明を適用した敷設用ボードＡの連結構造を図１〜図１４の図面に基づいて説明する。
〔実施形態〕
【００１８】
敷設用ボードＡは、図１〜図３に示すように、上面側に平面視が正方形状の天板部１と、下面側の台座部２と、平面視で天板部１の対角をなす一方のコーナーの直角２辺に対応する側縁である側壁部１Ａ，１Ｂに沿って複数が配列形成された係止受け部３・・・と、この係止受け部３・・・に対応して、平面視で天板部１の他方のコーナーの直角２辺に対応する側縁である側壁部１Ｃ，１Ｄに沿って複数が配列形成された係止体４・・・とを、硬質のポリプロピレンによって一体成形して構成されている。この実施形態では、前記係止受け部３・・・、及び、係止体４・・・が、一辺に等間隔に６個が配列形成されている。また、天板部１のコーナー部分１Ｅには、コーナーに跨ってコーナー突起７が垂下設されているとともに、隣り合う係止体４，４間には、間隙突起８が垂下設されている。
【００１９】
敷設用ボードＡ，Ａ同士の連結は、連結する一方の敷設用ボードＡの係止受け部３の係止孔３Ｃに対して、連結する他方の敷設用ボードＡの係止体４を係合することによって実施することができる。
【００２０】
前記天板部１は、四角の一辺の長さが３００ｍｍ程度に形成され、この天面部１の周縁をなす各辺に垂下する側壁部１Ａ，１Ｂ，１Ｃ，１Ｄが一体形成された、厚さが約２ｍｍ程度で、表面が光沢処理されている。
【００２１】
前記台座２は、天板部１下面には格子縞状のリブ１ａが形成されて天板補強されているとともに、下面の全面に亘って、高さが約１５ｍｍ程度、約厚さが１ｍｍ程度の円筒体１ｂ・・・を多数配列形成して、水平面に対しての立脚状態で、各円筒体１ｂ・・・の下面が水平面に接地して天板部１が水平な水準を得る構成になっている。
【００２２】
前記各係止受け部３は、図１、図３に示すように、天板部１Ａの側壁部１Ａ，１Ｂ下縁に基端が固着された略Ｕ字状の包囲体３Ａと、この包囲体３Ａが対向する側壁部１Ａ，１Ｂ部分とから形成され、包囲体３Ａと側壁部１Ａ，１Ｂ部分によって、上下方向の係止孔３Ｃが形成される。この実施形態においては、側壁部１Ａ，１Ｂ部分の下縁には、係止片３Ｂ垂下方向に延設され、板厚方向に弾性変形可能になっている。
【００２３】
前記各係止体４は、係止受け部３に対応する天板部１Ａの側壁部１Ｃ，１Ｄ位置から断面半円柱状に垂下設され、先端部には、外方側に向けて係止爪４Ａが突設形成されているとともに、内方側には、内方側にリブ状に突設された係合ガイド部５が形成されている。
【００２４】
また、係止体４には、係止爪４Ａの先端から係合ガイド部５にかけて形成され内方上がりの弧状面から構成されている係合解除手段６が形成されている。詳しくは、連結する一方の敷設用ボードＡの係止受け部３の係止孔３Ｃに対して、連結する他方の敷設用ボードＡの係止体４を上方から挿入して、係止体４の係止爪４Ａが係止受け部３の係止片３Ｂに係合した状態において、連結された一方の敷設用ボードＡに対して、連結された他方の敷設用ボードＡを、係止受け部３側の敷設用ボードＡに係合する係止爪４Ａを中心とする持ち上げ側の回動に伴って、係止受け部３の係止孔３Ｃ内面に摺接又は近接する回動軌跡に沿った円弧状の係合解除手段６が形成されている。
【００２５】
敷設用ボードＡの係止受け部３と係止体４は、係止受け部３に対して係止体４が係合状態で、連結する敷設用ボードＡ，Ａ同士がガタツキのない連結状態となる配置に形成され、両者の係合によって敷設用ボードＡ，Ａ同士を平面方向に隙間なく敷設可能になっている。
【００２６】
このような構成であれば、図４〜図７に示すように、連結する一方の敷設用ボードＡの係止受け部３の係止孔３Ｃに対して、連結する他方の敷設用ボードＡの係止体４を上方から挿入して、係止受け部３の係止孔３Ｃに対する係止爪４Ａの係入に連れて、係止体４の係止爪４Ａが係止受け部３の係止片３Ｂに弾性係合し、これに連動して係止受け部３の係止孔３Ｃ内に係止体４が収容されることによって、敷設用ボードＡ，Ａ同士を密着状態に連結することができる。
【００２７】
また、図８〜図１１に示すように、係止受け部３側の敷設用ボードＡに係合する係止爪４Ａを中心として、係止体４側の敷設用ボードＡを持ち上げ回動することによって、係止爪４Ａと係止舌片３Ｂとの係合を解きながら、干渉少なく係止受け部３の係止孔３Ｃから係止体４及びガイドリブ部５の離脱を行なうことができるので、敷設用ボードＡ，Ａ同士の連結を容易に解除することができる。
【００２８】
これとは別に、連結された一方の敷設用ボードＡの係止受け部３の係止孔３Ｃ内で、係止体４の先端部が、係合解除手段６の円弧部分と係止受け部３とに隙間があり、係止孔３Ｃ内で係止体４の先端部が弾性変形可能な状態にあるので、連結された他方の敷設用ボードＡの係止体４を直上に持上げて、係止爪４Ａと係止受け部３との係合を解く方向に係止体４の先端部を弾性変形することによって、係止受け部３から係止体４の離脱を行なうことができるので、このやり方によっても敷設用ボードＡ，Ａ同士の連結を容易に解除することができ、ボードＡ，Ａ同士の分離の仕方に自由度があり、取扱い性がよい。
【００２９】
ここで、この実施形態の敷設用ボードＡは上記の形状のものに限らず、図１２（イ）に示すように、天板部１の長辺に対応する短冊状の天板部１１に形成され、この天板部１１の各辺の側壁部に沿って、係止受け部３又は係止体４が複数形成された敷設用ボードＡＡや、同図（ロ）、（ハ）に示すように、天板部１の長辺に対応する短冊状の天板部１１に形成され、この天板部１１の片側長辺を除いての各辺の側壁部に沿って、係止受け部３又は係止体４が複数形成された敷設用ボードＡＡや、同図（ニ）に示すように、少数の数に対応する係止受け部３又は係止体４が形成された正方形状の敷設用ボードＡＡや、同図（ホ）に示すように、４分割円状の天板部１１のコーナー部分に対応する一辺の側壁部に係止受け部３が形成され、他辺に係止体４が形成された敷設用ボードＡＡ等が変形例として存在し、上記の正方形状の敷設用ボードＡに連結可能に構成された、付属ボードＡＡに用いることができる。
【００３０】
また、このような付属ボードＡＡを用いての実際の使用方法としては、一例として、図１３に示すように、ビルや一般家屋の部屋、或いは、ショールーム等の床面に多数の敷設用ボードＡ・・・を連結して、外縁と部屋との境界に短冊状の敷設用ボードＡＡを連結しての使用や、一列に少数枚数の敷設用ボードＡ・・・を連結し、その周囲を短冊状の敷設用ボードＡＡや４分割円状の敷設用ボードＡＡを連結しての使用、図１４に示すように、庭や屋上において、中央に市販の人口芝ボードを連結して、その周囲に敷設用ボードＡを連結し、さらに、このボードＡの周囲を短冊状の敷設用ボードや４分割円状の敷設用ボードＡＡを連結しての使用等があげられ、図示しないが、天板部には、色彩、模様、図柄等が施されたものが製作可能であり、これらのものを単独又は複合しての使用が可能である。
〔別実施形態〕
【００３１】
１）  上記実施形態の敷設用ボードは、硬質の合成樹脂材から形成されたものについて説明したが、本発明はこれに限らず、保型性のある軟質の合成樹脂材から形成されたのもであっても、同様の作用効果を有する。
【００３２】
２）  上記実施形態の敷設用ボードＡの係合解除手段６は、係止爪の先端部から係合ガイド部にかけて形成された内方上がりの円弧面から構成された例を説明したが、これに限らず、係止爪の先端部から係合ガイド部にかけて形成された内方上がりの傾斜面から構成されているものであってもよい。
【００３３】
３）  上記実施形態の敷設用ボードは、ポリプロピレンからなる合成樹脂材から全体を一体成形されたものについて説明したが、本発明はこれに限らず、天板部の上面に他の化粧部材が貼着されたものであってもよい。具体的には、タイル、じゅうたん生地、石盤、人口芝、畳表、ビーズ等が貼着されたものであってもよい。
【００３４】
４）  上記実施形態では平面視が正方形状の敷設用ボードについて説明したが、平面視が三角形状、五角形状、六角形状、その他の多角形状であってもよい。
【産業上の利用可能性】
【００３５】
本発明は、床ボード、既存の部屋やショールームの床面を簡易に変更可能にする床ボード、一般家屋やビルの玄関の化粧床材、庭や屋上の人口芝周りの敷設用ボード等に利用可能性がある。
【図面の簡単な説明】
【００３６】
【図１】本発明の実施形態の敷設用ボードの要部断面図
【図２】敷設用ボードの平面図
【図３】敷設用ボードの底面図
【図４】敷設用ボード同士の連結前の状態を示す斜視図
【図５】敷設用ボード同士の連結状態を示す斜視図
【図６】敷設用ボード同士の連結手順を示す説明図
【図７】敷設用ボード同士の連結手順を示す説明図
【図８】敷設用ボード同士の連結解除手順を示す説明図
【図９】敷設用ボード同士の連結解除手順を示す説明図
【図１０】敷設用ボード同士の連結解除手順を示す説明図
【図１１】敷設用ボード同士の連結解除手順を示す説明図
【図１２】敷設用ボードの変形例を示す平面図  （イ）は平面形状が長方形状で係止受け部と係止体が側壁部に形成されている敷設用ボード  （ロ）は平面形状が細い長方形状で係止受け部と係止体が側壁部に形成されている敷設用ボード  （ハ）は平面形状がさらに細い長方形状で係止受け部と係止体が形成されている側壁部と形成されていない側壁部が存在する敷設用ボード  （ニ）は平面形状が正方形状で係止受け部と係止体が側壁部に形成されている敷設用ボード  （ホ）は平面形状が１/４円形状で係止受け部と係止体が側壁部に形成されている敷設用ボード
【図１３】敷設用ボードの敷設状態を示す平面図
【図１４】敷設用ボードの敷設状態を示す平面図
【符号の説明】
【００３７】
Ａ        敷設用ボード
３        係止受け部
３Ｃ      係止孔
４        係止体
４Ａ      係止爪
５        係合解除手段
６        係合ガイド部
【図１】
2005139850.tif 000003
【図２】
2005139850.tif 000004
【図３】
2005139850.tif 000005
【図４】
2005139850.tif 000006
【図５】
2005139850.tif 000007
【図６】
2005139850.tif 000008
【図７】
2005139850.tif 000009
【図８】
2005139850.tif 000010
【図９】
2005139850.tif 000011
【図１０】
2005139850.tif 000012
【図１１】
2005139850.tif 000013
【図１２】
2005139850.tif 000014
【図１３】
2005139850.tif 000015
【図１４】
2005139850.tif 000016